(57)【要約】【課題】  低圧地中配線ケーブルの幹線から分岐された引込線を分岐する低圧分岐装置において、引込口配線が分岐ボックスの側方へ突出する不都合を回避し、引込口配線が挿通する通孔の位置を現場の状況に合わせて選択することで通孔に至る引込口配線の最適な引き回しを可能とする。【解決手段】  地表に立設された鋼管１０と、この鋼管１０の上端部に固定された分岐ボックス３とを有し、鋼管１０を分岐ボックス３の底部１１ａの左右の中心線上に取り付け、分岐ボックス３の底部１１ａに鋼管１０の取付部位を中心としてその周囲に通孔１６の形成を可能にする複数のノックアウト部１５を設ける。任意のノックアウト部１５を除去して形成された通孔１６を介して引込口配線４，５を挿通可能とし、鋼管１０に入線された引込線２を分岐ボックス内において前記引込口配線４，５と直接又はヒューズ６，７を介して接続する。【選択図】        図２
2006340499.tif 000002
【特許請求の範囲】
【請求項１】
低圧地中配線ケーブルの幹線から分岐された引込線を分岐する低圧分岐装置であって、
地表に立設された鋼管と、この鋼管の上端部に固定された分岐ボックスとを有し、前記鋼管を前記分岐ボックスの底部の左右の中心線上に取り付け、前記分岐ボックスの底部に前記鋼管の取付部位を中心としてその周囲に通孔の形成を可能にする複数のノックアウト部を設け、任意の前記ノックアウト部を除去して形成された通孔を介して引込口配線を挿通可能とし、前記鋼管に入線された前記引込線を前記分岐ボックス内において前記引込口配線と直接又はヒューズを介して接続するようにしたことを特徴とする低圧分岐装置。
【請求項２】
前記引込線と前記引込口配線との間に介在される前記ヒューズは、両端部に接続ケーブルが設けられ、一方の接続ケーブルは前記引込線に接続され、他方の接続ケーブルは前記引込口配線に接続され、それぞれの前記接続ケーブルは、前記ヒューズが該接続ケーブルの先端部より外側に配置されるようＵ字状に折り返されていることを特徴とする請求項１記載の低圧分岐装置。
【請求項３】
前記引込口配線は前記通孔に取り付けられたブッシングを介して挿通され、前記引込口配線と前記ブッシングとは収縮チューブにて固定されていることを特徴とする請求項１記載の低圧分岐装置。
【請求項４】
前記ブッシングと前記引込口配線との間の隙間を前記収縮チューブにより無くしたことを特徴とする請求項３記載の低圧分岐装置。
【請求項５】
前記分岐ボックスは、前記ノックアウト部が形成された底部を有するベース部材とこのベース部材に着脱可能に取り付けられるカバー部材とにより構成されることを特徴とする請求項１記載の低圧分岐装置。
【請求項６】
前記分岐ボックスの前記ベース部材には、壁面に固定するための壁面固定用部材が立設されていることを特徴とする請求項５記載の低圧分岐装置。
【請求項７】
請求項１記載の低圧分岐装置に用いられるヒューズの収容方法において、
前記ヒューズをその両端部に設けられた接続ケーブルの先端部より外側に配置するよう前記接続ケーブルの一方をＵ字状に折り返して前記引込線に接続し、また、前記接続ケーブルの他方をＵ字状に折り返して前記引込口配線に接続したことを特徴とする低圧分岐装置のヒューズ収容方法。
【発明の詳細な説明】
【技術分野】
【０００１】
この発明は、低圧地中配線ケーブルの幹線から分岐された引込線を地上に設置された分
岐箇所に引き込んで分岐するために用いる低圧分岐装置、及びこの分岐装置に用いるヒューズの収容方法に関する。
【背景技術】
【０００２】
近年、配電線の地中化工事の要請が増加しており、低圧地中配線ケーブルの幹線から分岐された引込線と需要家の引込口配線（屋側配線）との接続、分岐は、家屋などの壁面に固定された分岐ボックスに地中から引込線を引込み、この分岐ボックス内で行なうようにしている場合が多い。このような引込線は、単相３線式、三相４線式による配電方式が一般的であり、例えば、図１０に示されるように、低圧幹線１から分岐した引込線２の配電方式が三相４線式である場合には、電灯負荷に対して単相３線式の引込口配線４を接続し、また動力負荷に対して三相３線式の引込口配線５を接続するよう引込線２が分岐ボックス３内で分岐される。
【０００３】
ところが、従来用いられていた分岐ボックス３は、内部にケーブル同士を接続する金属性の接続端子バーが配設されているため、分岐ボックス３の総重量が重くなり、トタン壁などの支持力の弱い壁には固定が困難になる不都合があった。このため、従来においては、下記する非特許文献１及び２に示されるような低圧分岐装置が考えられている。
【０００４】
これは、需要家の側部で鋼管を立ち上げ、その先端部にジョイントボックス台座を取り付け、鋼管の管路に引込線を入線してジョイントボックス台座の上方へ引き出し、また、ジョイントボックス台座の側面に形成された通孔を介して引込口配線を挿入し、ジョイントボックス台座の上方で、引込線と引込口配線とをＣ型コネクタにより圧着又は圧縮接続し、接続部分に絶縁を施した上で、円筒状のジョイントボックスカバーを被せて封印を施すようにしたものである。このような構成においては、接続端子バーが不要となるので軽量化が図れ、また、家屋の壁面に分岐ボックスを直接固定する必要がなくなるので、家屋に与える影響がない等の利点を有する。
【０００５】
【非特許文献１】森真也，井出昌行，［低コスト屋側分岐箱の開発」，電気現場技術，電気情報社，１９９９年 5月，ｐ．７０−７２
【非特許文献２】“屋側ジョイントボックス”、［online］ 、大阪ヒューズ株式会社、［平成１７年２月１０日検索］ 、インターネット＜http://www.fuse.co.jp/fuse/fuse05_03.html ＞
【発明の開示】
【発明が解決しようとする課題】
【０００６】
しかしながら、上述した構成においては、引込口配線がジョイントボックス台座の側面に開口する通孔を介して挿通されるので、引込口配線が分岐ボックスから前方へ突出するなど、壁面に沿わして配線することが困難となり、見栄えが悪くなると共に、近くを通行する際に引っ掛けるなどの不都合が生じる。特に、引込口配線を挿通する通孔が側面に複数形成される場合には、側方から突出する引込口配線も様々な方向へ突出することになるので、上述した不都合は著しくなる。
【０００７】
また、ジョイントボックス台座には、予め決められた位置に引込口配線を挿通するための通孔が形成されているので、設置箇所の状況に合わせてジョイントボックス台座を回転させて通孔の向きを変えることはできるが、台座に対する通孔の位置は変えることができないので、通孔が複数形成される場合には、外部から通孔に至る引込口配線の最適な引き回しが行なえなくなる不都合もあった。
【０００８】
さらに、上述した構成においては、分岐ボックスの収容空間が細長い円柱形状に形成されているので、引込線の分岐部分にヒューズを設ける場合に対応しにくいものであった。例えば、三相４線式の配電方式にあっては、図１０に示されるように、最大５ケのヒューズ（電灯負荷用ヒューズ６、動力負荷用ヒューズ７）を設ける必要があるので、ヒューズの収容スペースを十分に確保することが困難になる不都合がある。
【０００９】
この際、単にヒューズの収容空間を大きくするために分岐ボックスの径を大きくし、複数のヒューズを無造作に収容したのでは、ジョイントボックス台座にカバーの脱着がスムーズに行えなくなったり、ヒューズ本体の取り付け、交換などの作業が困難になる不都合がある。
【００１０】
本発明は、上述した不都合を解消するためになされたものであり、引込口配線が分岐ボックスの側方へ突出する不都合を回避し、また、引込口配線が挿通する通孔の位置を現場の状況に合わせて選択することで通孔に至る引込口配線の最適な引き回しが可能となる低圧分岐装置を提供することを主たる課題としている。
また、多数のヒューズの収容スペースを確保し、スムーズなカバー部材の脱着や、ヒューズの容易な取り付け・交換作業が可能となる低圧分岐装置及びヒューズの収容方法を提供することをも課題としている。
【課題を解決するための手段】
【００１１】
上記課題を達成するために、本発明にかかる低圧分岐装置は、低圧地中配線ケーブルの幹線から分岐された引込線を分岐する装置であって、地表に立設された鋼管と、この鋼管の上端部に固定された分岐ボックスとを有し、前記鋼管を前記分岐ボックスの底部の左右の中心線上に取り付け、前記分岐ボックスの底部に前記鋼管の取付部位を中心としてその周囲に通孔の形成を可能にする複数のノックアウト部を設け、任意の前記ノックアウト部を除去して形成された通孔を介して引込口配線を挿通可能とし、前記鋼管に入線された前記引込線を前記分岐ボックス内において前記引込口配線と直接又はヒューズを介して接続するようにしたことを特徴としている（請求項１）。
【００１２】
ここで、従来の分岐ボックス内に設けられていた金属性接続端子バーを不要にし、引込線と引込口配線との接続部分、引込線とヒューズとの接続部分、及びヒューズと引込口配線との接続部分をかしめ金具による圧着又は圧縮にて接続し、軽量化を図るようにするとよい。
【００１３】
したがって、上述した構成によれば、分岐ボックスの底部の左右の中心線上に鋼管を取り付け、この取り付け部分を中心としてその周囲に複数のノックアウト部を設け、任意のノックアウト部を除去して引込口配線を挿通可能とする通孔を形成するようにしたので、
引込口配線を分岐ボックスの前方へ突出させることなく引き回すことが可能となり、また、底部の上方にヒューズを収容する空間を十分に確保することが可能となる。さらに、任意のノックアウト部を除去して形成された通孔を介して引込口配線を挿通可能とするので、分岐ボックスの取り付け箇所の状況に合わせて、引込口配線を挿通させる通孔の位置を決めることが可能となる。
【００１４】
また、引込線と前記引込口配線との間に介在される前記ヒューズは、両端部に接続ケーブルが設けられ、一方の接続ケーブルは引込線に接続され、他方の接続ケーブルは引込口配線に接続され、それぞれの接続ケーブルは、ヒューズが該接続ケーブルの先端部より外側に配置されるようＵ字状に折り返される構成にするとよい（請求項２）。
【００１５】
このような構成を得るために、上述した低圧分岐装置に用いるヒューズを収容ボックスに収容する場合に、前記ヒューズがその両端部に設けられた接続ケーブルの先端部より外側に配置されるよう、接続ケーブルの一方をＵ字状に折り返して引込線に接続し、また、接続ケーブルの他方をＵ字状に折り返して引込口配線に接続して分岐ボックスに収容するとよい（請求項７）。
【００１６】
このような構成においては、それぞれのヒューズの取付位置をほぼ同じ高さに合わせることができ、また、ヒューズが接続ケーブルの先端部より外側にあるので、ヒューズ本体の取り付けや交換等の作業が行ないやすくなる。また、接続ケーブルが、Ｕ字状に曲げられているので、後述するように、分岐ボックスをベース部材とこのベース部材に着脱可能に取り付けられるカバー部材とにより構成する場合には、カバー部材の引っかかりを回避することが可能となる。
【００１７】
なお、前記引込み口配線は前記通孔に取り付けられたブッシングを介して挿通され、前記引込み口配線と前記ブッシングとは収縮チューブにて固定するとよい（請求項３）。通孔は分岐ボックスの底部に形成されるので、ブッシングを介して引込口配線を挿通させても引込口配線が自重により垂れ下がってくる不都合が想定されるが、上述のような構成とすることで引込口配線を収縮チューブによりブッシングに固定して引込口配線の垂れ下がりを防ぐことが可能となる。また、塵埃や小動物の進入を防ぐために、ブッシングと引込口配線との間の隙間を収縮チューブにより無くすことが好ましい（請求項４）。
尚、収縮チューブは、常温収縮チューブであっても熱収縮チューブであってもよい。
【００１８】
また、前記分岐ボックスは、前記ノックアウト部が形成された底部を有するベース部材とこのベース部材に着脱可能に取り付けられるカバー部材とにより構成してもよい（請求項５）。このような構成によれば、カバー部材を取り外すことにより、引込線や引込口配線の接続作業、ヒューズの交換作業などが容易となる。
【００１９】
さらに、上述の構成においては、分岐ボックスのベース部材に、壁面に固定するための壁面固定用部材を立設させるようにしてもよい（請求項６）。このような構成によれば、分岐ボックスを鋼管の先端部に固定する構成を原則としつつ、設置箇所の状況に応じて、分岐ボックスを家屋の壁面に固定することも可能となる。
【発明の効果】
【００２０】
以上述べたように、請求項１に係る発明によれば、分岐ボックスの底部の左右の中心線上に鋼管を取り付け、この鋼管の取付部位を中心としてその周囲に複数のノックアウト部を設け、任意のノックアウト部を除去して形成された通孔を介して引込口配線を挿通可能としたので、引込口配線を分岐ボックスの前方へ突出させることなく家屋の壁面に沿って配線することが可能となる。このため、見栄えがよくなると共に、近くを通行する際に引込口配線を引っ掛ける不都合もなくなる。また、複数のノックアウト部が形成された底部の上方にヒューズの収容スペースを確保することが可能となり、また、引込口配線が挿通する箇所を現場の状況に合わせて選択することが可能となり、通孔に至る引込口配線の最適な引き回しを行うことが可能となる。
【００２１】
請求項２及び７に係る発明によれば、ヒューズの一方に設けられた接続ケーブルを引込線に接続し、ヒューズの他方に設けられた接続ケーブルを引込口配線に接続し、それぞれの接続ケーブルをＵ字状に折り返してヒューズが接続ケーブルの先端部より外側に配置されるように分岐ボックスに収容されるので、それぞれのヒューズの取付位置をほぼ同じ高さに合わせることができると共に、側方からヒューズにアクセスしやすくなり、ヒューズの取替え等の作業が行ないやすくなる。
【００２２】
請求項３に係る発明によれば、引込口配線は前記通孔に取り付けられたブッシングを介して挿通され、引込み口配線とブッシングとは収縮チューブにて固定されるので、引込口配線の垂れ下がりを防ぐことが可能となる。
特に請求項４に係る発明によれば、ブッシングと引込口配線との間の隙間を収縮チューブで無くすことができるので、分岐ボックス内への塵埃や小動物の侵入を防ぐことも可能となる。
【００２３】
請求項５に係る発明によれば、分岐ボックスが、ノックアウト部が形成された底部を有するベース部材とこのベース部材に着脱可能に取り付けられるカバー部材とにより構成されるので、カバー部材を取り外すことにより、引込線や引込口配線の接続作業、ヒューズの交換作業などが行なえ、現場での作業が容易となる。
特に、ヒューズが接続ケーブルの先端部より外側に配置されるよう該接続ケーブルがＵ字状に折り返される前述の構成を採用する場合には、カバー部材の脱着時に接続ケーブルの引っ掛かりを回避することが可能となり、スムーズなカバー部材の脱着が可能となる。
【００２４】
請求項６に係る発明によれば、分岐ボックスのベース部材に、壁面固定用部材を設けるようにしたので、必要に応じて分岐ボックスを家屋等の壁面に固定することも可能となる。  
【発明を実施するための最良の形態】
【００２５】
以下、この発明の最良の実施形態を添付図面を参照しながら説明する。
【００２６】
図１及び図２において、本発明に係る低圧分岐装置を、三相４線式の配電方式を用いて需要家に電力を供給する場合に適用した構成例、即ち、低圧幹線から分岐された引込線を、電灯負荷に対して単相３線式により電力を供給し、動力負荷に対して三相３線式により電力を供給するよう２つに分岐する場合に適用した構成例が示されている。
【００２７】
この低圧分岐装置は、地表に立設された鋼管１０と、この鋼管１０の上端部に固定された分岐ボックス３とを有して構成されている。分岐ボックス３は、ベース部材１１とこのベース部材１１に着脱可能に取り付けられるカバー部材１２とにより構成され、内部に収容空間αが形成されている。
【００２８】
ベース部材１１は、図３にも示されるように、底部１１ａと、この底部１１ａの後端部に一体に形成されて分岐ボックス３の家屋等の壁面Ｗへの付設を可能にする壁面固定用部材１１ｂと、この壁面固定部材１１ｂと平行に底部１１ａに形成されたリブ１１ｃと、底部周縁の前方から後方にかけて下方へ垂下するように設けられた垂下部１１ｄとを有して構成されている。
【００２９】
ベース部材１１の底部１１ａには、その左右の中心線β上に上方及び下方へ環状壁１２ａ，１２ｂを突設させることにより円筒状に形成された鋼管装着部１３が一体に形成され、この鋼管装着部１３に鋼管１０を下方から内嵌させるようにしている。この例において鋼管装着部１３は、壁面固定部材１１ｂに近接する底部１１ａの後部に設けられており、環状壁１２ａはリブ１１ｃに連続して形成されている。鋼管装着部１３に内嵌される鋼管１０は、下方へ突設した環状壁１２ｂに周囲の複数箇所で螺合されたネジ１４を締め付けることで固定されている。
【００３０】
また、鋼管１０の取付部位である鋼管装着部１３を中心としてその周囲に通孔の形成を可能にする複数のノックアウト部１５（１５ａ，１５ｂ，１５ｃ，１５ｄ）が設けられている。このノックアウト部１５は、予定された大きさの通孔が形成されるよう、底部１１ａの所定箇所に所定の径の環状溝を形成してその部分を打ち抜きやすく肉薄にしたもので、この例においては、鋼管装着部１３の周囲の４箇所（鋼管装着部１３の左右の２箇所と鋼管装着部１３より前方に位置する左右の２箇所の計４箇所）に形成されている。
【００３１】
そして、図４に示されるように、所望のノックアウト部（１箇所又は複数箇所、必要により全箇所のノックアウト部）１５を打ち抜くことで通孔１６を形成し、この通孔１６を介して引込口配線４，５が挿入されるようになっており、鋼管１０に入線されて上端から引き出された引込線２と通孔１６を介して挿入された引込口配線４，５とを収容空間αにおいて直接又はヒューズ６（6ａ，６ｂ），７（７ａ，７ｂ，７ｃ）を介して接続するようにしている。
【００３２】
具体的には、例えば、電灯負荷用の引込口配線４を挿通させる通孔１６ａをノックアウト部１５ｂを打ち抜いて形成し、動力負荷用の引込口配線５を挿通させる通孔１６ｂをノックアウト部１５ｃを打ち抜いて形成し、それぞれの引込口配線４，５を対応する通孔１６ａ，１６ｂを介して挿入する。
そして、図２（ａ）に示されるように、接地線を除く引込線２の１つを、動力負荷用ヒューズ７ａの一端に設けられた接続ケーブル１７a-1に接続し、接地線を除く引込線２の残りの２つを、それぞれ動力負荷用ヒューズ７ｂ，７ｃの一端に設けられた接続ケーブル１７b-2，１７b-3と電灯負荷用ヒューズ６ｂ，６ａの一端に設けられた接続ケーブル１８a-2，１８a-1に接続するようにしている。また、動力負荷用の引込口配線５を、それぞれ動力負荷用ヒューズ７ａ，７ｂ，７ｃの他端に設けられた接続ケーブル１７b-1，１７a-2，１７a-3に接続し、接地線を除く電灯負荷用の引込口配線４を、それぞれ電灯負荷用ヒューズ６ａ，６ｂの他端に設けられた接続ケーブル１８b-1，１８b-2に接続している。尚、引込線２の接地線２ａと引込口配線４の接地線４ａとは直接接続されている。
【００３３】
それぞれのヒューズ６（6ａ，６ｂ），７（７ａ，７ｂ，７ｃ）は、図５に示されるように、その両端部に設けられた接続ケーブル１７ａ（１７a-1,１７a-2,１７a-3）,１７ｂ（１７b-1,１７b-2,１７b-3）,１８ａ（１８a-1,１８a-2），１８ｂ（１８b-1,１８b-2）の先端部より外側に配置されており、一方の接続ケーブル(１７a-1,１７b-2,１７b-3, １８a-1,１８a-2)はＵ字状に折り返されて引込線２に接続され、また、他方の接続ケーブル(１７b-1,１７a-2,１７a-3, １８b-1,１８b-2)はＵ字状に折り返されて引込口配線４又は５に接続されている。したがって、ヒューズ６（6ａ，６ｂ），７（７ａ，７ｂ，７ｃ）は、ベース部材１１の周縁に沿って並設されている。
【００３４】
ケーブル同士の接続（引込線２と接続ケーブルとの接続、接続ケーブルと引込口配線４又は５との接続、引込線２の接地線２ａと引込口配線４の接地線４ａとの接続）は、例えば、図６に示されるように、Ｃ型コネクタから成るかしめ金具１９により導線同士を圧着又は圧縮し、その表面に図示しない絶縁材（絶縁テープ等）を被せて絶縁するようにしている。
【００３５】
また、通孔１６ａ，１６ｂを介して挿通される引込口配線４，５は、通孔１６ａ，１６ｂに取り付けられたブッシング２０を介して挿通されるようになっている。ここで、ブッシング２０は、図７に示されるように、例えば、合成樹脂により形成された基体２０ａを通孔１６ａ，１６ｂの下方から挿入し、この基体２０ａの上端部に形成された雄螺子部２０ｂに固定用リング２０ｃを上方から螺合させることにより通孔１６ａ，１６ｂの内周縁に係合させるもので、基体２０ａには、下方へ延びる常温収縮チューブ２１が予め外装されている。常温収縮チューブ２１は、例えば、特開２００１−１２６７８６号公報に示されるようなもので、引込口配線４，５を挿通させた後に内部のインナーコア２１ａを除去して収縮させることで引込口配線４，５に密着し、引込口配線４，５をブッシング２０に固定すると共にブッシング２０と引込口配線４，５との間の隙間を閉塞するようにしている。
【００３６】
尚、カバー部材１２は、引込線２、引込口配線４，５、ヒューズ６，７、及び接続ケーブル１７ａ，１７ｂ，１８ａ，１８ｂを覆うように上方から被せられ、ベース部材１１の壁面固定用部材１１ｂとリブ１１ｃとの間の間隙に嵌合されると共にベース部材１１の垂下部１１ｄに図示しない固定手段（ネジ等）によって着脱可能に固定される。
【００３７】
上述の構成において、図１に示されるように、需要家の電灯負荷用の電力量計２２と動力負荷用の電力量計２３とが離れて設けられ、その間に分岐ボックス３を設置するスペースが確保されている場合には、電力量計２２と電力量計２３との間に鋼管１０を立設させ、分岐ボックス３のベース部材１１に設けられた鋼管装着部１３に鋼管１０を挿入し、ベース部材１１の背面が家屋の壁面Ｗと対峙するように鋼管１０を環状壁１２ｂに設けられたネジ１４を締めて鋼管装着部１３に固定する。
【００３８】
分岐ボックス３の底部１１ａには、鋼管装着部１３の周囲に複数のノックアウト部１５が設けられ、任意の箇所を打ち抜くことが可能となっているので、前述した如く、例えば、電灯負荷用の電力量計２２に近いノックアウト部１５ｂを打ち抜いて通孔１６ａを形成し、この通孔１６ａに収縮チューブ２１を取り付けたブッシング２０を固定した上で電灯負荷用の引込口配線４（単相３線）を挿通し、収縮チューブ２１を収縮させてブッシング２０に引込口配線４を固定する。また、動力負荷用の電力量計２３に近いノックアウト部１５ｃを打ち抜いて通孔１６ｂを形成し、この通孔１６ｂに収縮チューブ２１を取り付けたブッシング２０を固定した上で動力負荷用の引込口配線５（三相３線）を挿通し、収縮チューブ２１を収縮させてブッシング２０に引込口配線５を固定する。
【００３９】
しかる後に、ヒューズ６，７の両端部に設けられた接続ケーブル１７ａ，１７ｂ，１８ａ，１８ｂをＵ字状に折り返して、ヒューズ６，７が接続ケーブルの先端部より外側に配置されるよう一方の接続ケーブルを引込線２にかしめ金具１９で圧着又は圧縮接続し、また、他方の接続ケーブルを引込口配線４又は５にかしめ金具１９で圧着又は圧縮する。さらに、引込線２の接地線２ａと引込口配線４の接地線４ａとをかしめ金具１９で圧着又は圧縮して直接接続する。
【００４０】
そして、上述の接続作業が完了した後に、かしめ金具１９で圧着又は圧接した箇所等を絶縁テープや絶縁キャップ等で絶縁処理し、しかる後にベース部材１１の上方に配された引込線２や引込口配線４，５、ヒューズ６，７などを必要により結束帯２５で束ね、その上でカバー部材１２を被せてカバー部材１２の下端部をベース部材１１の垂下部１１ｄに所定の固定手段により固定すればよい。
【００４１】
したがって、上述した構成によれば、分岐ボックス３を鋼管１０の上端部に固定するようにしたので、分岐ボックス３を直接建物の壁面に固定する必要が無くなり、家屋の壁面に影響を与えることが無くなる。また、分岐ボックス３の底部１１ａに、その左右の中心線上で鋼管１０を取り付け、この鋼管１０の取付部位を中心としてその周囲に複数のノックアウト部１５を設けたので、底部１１ａの上方にヒューズを収容する十分な大きさの収容空間αを確保することが可能となり、また、ケーブル同士の接続がかしめ金具による圧着又は圧縮にて行なわれるので、金属性の端子接続用バーを省略することが可能となり、軽量化を図ることが可能となる。
【００４２】
特に、底部１１ａに形成される通孔を鋼管１０の取付部位を中心としてその周囲に設けられた任意のノックアウト部１５を除去して形成し、その通孔を介して引込口配線４，５を挿通可能としたので、引込口配線４，５を挿通する箇所を現場の状況に合わせて選択することが可能となり、分岐ボックス３に至る引込口配線４，５の最適な引き回しを行うことが可能となる。また、引込口配線４，５を分岐ボックス３の前方へ突出させることなく家屋の壁面に沿って配線することが可能となるので、見栄えがよくなると共に、近くを通行する際に引込口配線を引っ掛ける不都合もなくなる。
【００４３】
さらに、上述の構成によれば、分岐ボックス３は、通孔１６ａ，１６ｂが形成された底部１１ａを有するベース部材１１とこのベース部材１１に着脱可能に取り付けられるカバー部材１２とにより構成されるので、カバー部材１２を取り外すことで引込線２や引込口配線４，５の接続作業、ヒューズの交換作業等を行なうことが可能となり、現場での作業が容易となる。
【００４４】
特に、前述の構成においては、ヒューズの一方に設けられた接続ケーブルをＵ字状に折り返して引込線に接続し、また、ヒューズの他方に設けられた接続ケーブルをＵ字状に折り返して引込口配線に接続し、ヒューズ６，７が接続ケーブル１７ａ，１７ｂ，１８ａ，１８ｂの先端部より外側に配置されているので、ヒューズ６，７の位置をほぼ同じ高さで分岐ボックス３の外周縁に沿って配設することが可能となり、ヒューズの取り付けや交換等の作業が行ない易いものとなる。
【００４５】
即ち、図８に示されるように、ヒューズ６，７が、ヒューズ本体６１，７１と、このヒューズ本体６１，７１が取り付けられ、接続ケーブル１７ａ，１７ｂ，１８ａ，１８ｂが接続されたヒューズホルダ６２，７２と、このヒューズホルダ６２，７２を収容するように接続ケーブル上を移動可能に設けられたヒューズケース６３，７３ａ，７３ｂとを有して構成される場合には、それぞれの接続ケーブル１７ａ，１７ｂ，１８ａ，１８ｂがＵ字状に折り返されているので、ヒューズ本体６１，７１の取り付け作業や交換作業を行なう際にヒューズケース６３，７３ａ，７３ｂを接続ケーブルに沿って移動させやすくなり、接続ケーブル１７ａ，１７ｂ，１８ａ，１８ｂを大きく動かすことなくヒューズ本体６１，７１の取り付けや交換作業を行うことが可能となる。また、接続ケーブル１７ａ，１７ｂ，１８ａ，１８ｂが、Ｕ字状に折り返されているので、カバー部材１２の脱着時に接続ケーブル１７ａ，１７ｂ，１８ａ，１８ｂの引っかかりを回避することも可能となる。
【００４６】
尚、以上の構成は、鋼管１０に分岐ボックス３を直接固定する場合であるが、このような施行が困難であり家屋の壁面Ｗを利用するしかないような場合には、図９に示されるように分岐ボックス３を壁面固定用部材１１ｂを利用して家屋の壁面Ｗに固定するようにしていもよい。
【００４７】
このような構成においては、分岐ボックス３の底部１１ａに設けられた鋼管挿着部１３を分岐ボックス３内に引込線２を導入する孔として利用し、任意のノックアウト部を打ち抜いて形成された通孔を引込口配線４，５を分岐ボックス３に挿入する孔として利用し、内部でこれら引込線２と引込口配線４，５を前述したように接続すればよい。このような構成としても、ケーブル同士の接続にはかしめ金具１９が用いられ、従来用いられた金属性の端子接続用バーが使用されていないので、従来に比べて分岐ボックス３の軽量化は図られており、分岐ボックス３を壁面に付設することによる家屋への影響は少ない。
【００４８】
また、上述の構成においては、三相４線式の引込線を電灯負荷用の単相３線式と動力負荷用の三相３線式とに分岐させる場合について説明したが、低圧地中配線ケーブルの配電方式が単相３線式である場合に、電灯負荷用に２組の単相３線式又は単相２線式に分岐させる場合や、分岐数を３組以上にする場合などに同様の構成を採用してもよい。
【００４９】
さらに、上述の構成においては、左右の２箇所のノックアウト部を打ち抜いて通孔を形成した例を示したが、上記構成に限定されるものではなく、分岐ボックスが設置される箇所や周囲の障害物などを考慮して同方向の２箇所のノックアウト部を打ち抜いて通孔を形成しても、１つのノックアウト部を打ち抜いて形成された通孔を共用して電灯負荷用の引込口配線と動力負荷用の引込口配線とを挿通させるようにしてもよい。
特に、配電線と共に通信ケーブルを付設するような場合には、引込口配線を挿通させる通孔を利用して通信ケーブルを挿通させるようにしても、また、打ち抜かれていないノックアウト部を通信ケーブル専用の通孔のために利用するようにしてもよい。
【００５０】
また、上述の構成においては、収縮チューブとして常温収縮チューブを用いた例を示したが、熱収縮チューブを利用するようにしてもよい。
分岐ボックス３の態様においても、上述の構成例に限定されるものではなく、例えば、観音開きや右又は左開きのボックス状に形成しても、上部が開放された有底の箱体に蓋体を取り付けるものであってもよい。さらに、分岐ボックス３に開閉可能な扉部を設け、分岐ボックス内の点検作業やヒューズの交換作業を容易に行えるようにしてもよい。
【００５１】
さらにまた、上述の構成においては、鋼管装着部１３を壁面固定用部材１１ｂに近接した中心線β上に設け、その周囲（側方及び前方）にノックアウト部１５を形成した例を示したが、中心線β上であれば、底部中程に鋼管装着部を設けて、その周囲にノックアウト部を設けても、また、底部前方に鋼管装着部を設けて、その周囲にノックアウト部を設けてもよい。
【図面の簡単な説明】
【００５２】
【図１】図１は本発明に係る低圧分岐装置から需要家の電力量計に配線する状態を示す構成例であり、図１（ａ）はその正面図、図１（ｂ）は図１（ａ）のＢ−Ｂ線からみた側面図である。
【図２】図２は図１の低圧分岐装置に用いる分岐ボックスのベーズ部材の具体的構成例を示す図であり、図２（ａ）は正面図、図２（ｂ）は図２（ａ）のＸ−Ｘ線で切断した断面図、図２（ｃ）は図２（ａ）のＹ−Ｙ線から見た図である。
【図３】図３は、分岐ボックスのベース部材においてノックアウト部が打ち抜かれていない状態を示す図であり、図３（ａ）はその斜視図、図３（ｂ）はその平面図である。
【図４】図４は、分岐ボックスのベース部材において一部のノックアウト部を打ち抜いた状態を示す図であり、図４（ａ）はその斜視図、図４（ｂ）はその平面図である。
【図５】図５は、分岐ボックスにヒューズを収容した状態を示す図であり、図５（ａ）は実装状態を上方から見た図、図５（ｂ）はヒューズのレイアウトを示す図である。
【図６】図６は、ヒューズの接続ケーブルを引込線および引込口配線に接続する接続構造を説明する図である。
【図７】図７は、ベース部材とこれに接続される部材との関係を示す斜視図である。
【図８】図８は、ヒューズ構造を示す図であり、ヒューズ本体を取り付けるヒューズホルダを収容するためのヒューズケースを接続ケーブルに沿って移動させた状態を示す図である。
【図９】図９は、本発明に係る低圧分岐装置から需要家の電力量計に配線する他の構成例を示す図である。
【図１０】図１０は三相４線式の引込線を電灯負荷用の単相３線と動力負荷用の三相３線とに分岐する構成例を示す図である。
【符号の説明】
【００５３】
１  幹線
２  引込線
３  分岐ボックス
４，５  引込口配線
６（６ａ，６ｂ），７（７ａ，７ｂ，７ｃ）  ヒューズ
１０  鋼管
１１  ベース部材
１１ａ  底部
１１ｂ  壁面固定用部材
１２  カバー部材
１５（１５ａ，１５ｂ，１５ｃ，１５ｄ）  ノックアウト部
１６（１６ａ，１６ｂ）  通孔
１７ａ（１７a-1,１７a-2,１７a-3）,１７ｂ（１７b-1,１７b-2,１７b-3）,１８ａ（１８a-1,１８a-2），１８ｂ（１８b-1,１８b-2）  接続ケーブル
２０  ブッシング
２１  常温収縮チューブ
α  収容空間
β  中心線
【図１】
2006340499.tif 000003
【図２】
2006340499.tif 000004
【図３】
2006340499.tif 000005
【図４】
2006340499.tif 000006
【図５】
2006340499.tif 000007
【図６】
2006340499.tif 000008
【図７】
2006340499.tif 000009
【図８】
2006340499.tif 000010
【図９】
2006340499.tif 000011
【図１０】
2006340499.tif 000012